(57)【要約】【課題】省電力モードにおける低消費電力化が可能な画像形成装置を提供すること。【解決手段】画像形成を行う画像形成装置において、所定の各部へ電力を供給する電源１８と、画像形成装置に対する操作を検知する電源ＳＷ１９ｄ、原稿セット検知部１２ａ、及び、圧板開閉検知部１３ａと、各検知部からの指示を保持する電源ＳＷ入力レジスタ２０ｄ、原稿セット検知入力レジスタ２０ｅ、及び、圧板開閉検知入力レジスタ２０ｆと、各入力レジスタの状態変化を感知するＣＰＵ２０ａと、電源１８に所定の各部への電力供給を指示する電源制御出力レジスタ２０ｇとを備えたシステム制御部２０とを備え、電源１８は、省電力モードであるか否かにかかわらず、各入力レジスタと電源制御出力レジスタ２０ｇとに電力を供給し、電源制御出力レジスタ２０ｇは、省電力モードにおいて、各入力レジスタからの指示に基づいて、電源１８に所定の各部への電力供給を指示する。【選択図】        図２
2006259160.tif 000002
【特許請求の範囲】
【請求項１】
画像形成を行う画像形成装置において、
所定の各部へ電力を供給する電力供給手段と、
前記画像形成装置に対する操作を検知する検知手段と、
前記検知手段からの指示を保持する入力レジスタと、前記入力レジスタの状態変化を感知し所定の処理を行う処理手段と、前記電力供給手段に所定の各部への電力供給を指示する出力レジスタとを備えたシステム制御手段とを備え、
前記電力供給手段は、省電力モードであるか否かにかかわらず、前記入力レジスタと前記出力レジスタとに電力を供給し、
前記出力レジスタは、省電力モードにおいて、前記入力レジスタに保持された指示に基づいて、前記電力供給手段に所定の各部への電力供給を指示すること、
を特徴とする画像形成装置。
【請求項２】
前記入力レジスタと前記出力レジスタとを、１チップ化したこと、
を特徴とする請求項１に記載の画像形成装置。
【請求項３】
前記システム制御手段は、さらに、その他の機能ブロックを備え、
前記入力レジスタと前記出力レジスタと前記その他の機能部とを１チップ化し、
前記電力供給手段は、省電力モードであるか否かにかかわらず、当該チップの前記入力レジスタと前記出力レジスタとにのみ電力を供給すること、
を特徴とする請求項１に記載の画像形成装置。
【請求項４】
前記電力供給手段から電力の供給を受けた前記処理手段が、前記入力レジスタからの情報に基づいて、所定の処理を行うことを特徴とする請求項１から３のいずれか一項に記載の画像形成装置。
【請求項５】
前記検知手段と前記入力レジスタとを複数備えたこと、
を特徴とする１から４のいずれか一項に記載の画像形成装置。
【発明の詳細な説明】
【技術分野】
【０００１】
本発明は、省電力モードにおける低消費電力化が可能な画像形成装置に関する。
【背景技術】
【０００２】
近年、画像形成装置においても環境保護の観点から省電力化が強く要求されている。電子写真プロセスを用いる画像形成装置においては定着部の消費電力が支配的であり、待機時はこの定着部を動作時よりも低い温度で制御したり、給電を遮断したりすることによって、省電力化を実現する方式が広く採用されている。
【０００３】
最近では更に進んで定着部のみならず、システムの全て、もしくはほとんど全ての電源を遮断する方式も採用されてきている。この場合は待機時の消費電力を数Ｗ以下とすることが可能となり、省電力化の効果が非常に大きい画像形成装置が提供可能となる（例えば、特許文献１、及び、特許文献２参照）。
【０００４】
図１０は、従来の画像形成装置の一例であるデジタル複写機のＡＤＦ部（自動原稿送り装置）７１、エンジン制御部７２、電源７３、操作部７４、及び、システム制御部７５の構成を示すブロック図である。デジタル複写機は、オフモード、スリープモードと呼ばれる省電力モードにおいては、定着制御部（図示せず）や定着ヒータ（図示せず）への、電源７３からの電力供給（図示せず）はもちろんのこと、エンジン制御部７２及びＡＤＦ部７１への、電源７３からの電力供給７７も遮断している。これらの電力供給の遮断は、システム制御部７５から電源７３へ送信される電源制御信号７６によって行われる。操作部７４も同様に、電源７３からの電力供給７７が遮断されており、表示部７４ｃは消灯し、入力部７４ｂは受け付け不可の状態となっている。しかしながら、電源ＳＷ７４ｄは、電源７３からの電力供給７７により通電状態にあるシステム制御部７５内の電源ＳＷ入力レジスタ７５ｄに接続されており、システム制御部７５は、電源ＳＷ７４ｄの状態確認が可能となっている。
【０００５】
ここで、ユーザーが電源ＳＷ７４ｄの操作により、省電力モードから通常モードへの復帰を指示した場合は、電源ＳＷ７４ｄが検知した状態変化が電源ＳＷ入力レジスタ７５ｄに保持される。次に、電源ＳＷ入力レジスタ７５ｄに保持された当該状態変化を感知したＣＰＵ７５ａが電源制御出力レジスタ７５ｇを操作し、電源制御出力レジスタ７５ｇは、電力供給の開始を指示する旨の電源制御信号７６を電源７３へ送信する。当該電源制御信号６７を受信した電源７３は、ＡＤＦ部７１、エンジン制御部７２、定着制御部（図示せず）、及び、定着ヒータ（図示せず）への電力供給７７を再開し、デジタル複写機は、通常動作モードに移行する。
【０００６】
また、ＡＤＦ部７１の原稿セット検知部７１ａも、電源７３からの電力供給７７により通電状態にあるシステム制御部７５内の原稿セット検知入力レジスタ７５ｅに接続されており、システム制御部７５は、原稿セット検知部７１ａの状態確認が可能となっている。ユーザーがＡＤＦ部７１へ原稿をセットした場合は、デジタル複写機の省電力モードから通常モードへの復帰を指示したことになり、原稿セット検知部７１ａが検知した状態変化が原稿セット検知入力レジスタ７５ｅに保持される。以下、電源ＳＷ７４ｄを操作した場合と同様の処理が繰り返され、デジタル複写機は、通常動作モードに移行する。
【０００７】
また、エンジン制御部７２の圧板開閉検知部７２ａも、電源７３からの電力供給７７により通電状態にあるシステム制御部７５内の圧板開閉検知入力レジスタ７５ｆに接続されており、システム制御部７５は、圧板開閉検知部７２ａの状態確認が可能となっている。ユーザーがデジタル複写機の圧板を開けた場合は、デジタル複写機の省電力モードから通常モードへの復帰を指示したことになり、圧板開閉検知部７２ａが検知した状態変化が圧板開閉検知入力レジスタ７５ｆに保持される。以下、電源ＳＷ７４ｄを操作した場合と同様の処理が繰り返され、デジタル複写機は、通常動作モードに移行する。
【０００８】
【特許文献１】特開平８−１０１６０９号公報
【特許文献２】特開２００１−９６８５８号公報
【発明の開示】
【発明が解決しようとする課題】
【０００９】
しかしながら、上記従来のデジタル複写機では、省電力モード時においても、各入力レジスタの状態変化をシステム制御部内のＣＰＵが感知する必要があるため、ＣＰＵへの電力供給を遮断することができず、省電力モードにおける電力をこれ以上低減させることができなかった。例えば、ＣＰＵの電力供給を省電力モード時に遮断してしまうと、省電力モードから通常モードへの復帰の指示が、電源ＳＷの操作によるものなのか、ＡＤＦ部への原稿セットによるものなのか、圧板を開けたことによるものなのかをＣＰＵが判別することができず、通常動作モードへの復旧動作がうまくいかない恐れがあった。
【００１０】
本発明は、上記に鑑みてなされたものであって、各入力レジスタと電源制御出力レジスタとを直接接続することにより、省電力モードにおいてＣＰＵの電力供給を遮断しても、確実に通常動作モードに移行することができ、省電力モードにおける低消費電力化が可能となる画像形成装置を提供することを目的とする。
【課題を解決するための手段】
【００１１】
上述した課題を解決し、目的を達成するために、請求項１に記載の画像形成装置は、所定の各部へ電力を供給する電力供給手段と、前記画像形成装置に対する操作を検知する検知手段と、前記検知手段からの指示を保持する入力レジスタと、前記入力レジスタの状態変化を感知する処理手段と、前記電力供給手段に所定の各部への電力供給を指示する出力レジスタとを備えたシステム制御手段とを備え、前記電力供給手段は、省電力モードであるか否かにかかわらず、前記入力レジスタと前記出力レジスタとに電力を供給し、前記出力レジスタは、省電力モードにおいて、前記入力レジスタからの指示に基づいて、前記電力供給手段に所定の各部への電力供給を指示することを特徴とする。
【００１２】
また、請求項２に記載の画像形成装置は、請求項１に記載の画像形成装置において、前記入力レジスタと前記出力レジスタとを、１チップ化したことを特徴とする。
【００１３】
また、請求項３に記載の画像形成装置は、請求項１に記載の画像形成装置において、前記システム制御手段は、さらに、その他の機能ブロックを備え、前記入力レジスタと前記出力レジスタと前記その他の機能部とを１チップ化し、前記電力供給手段は、省電力モードであるか否かにかかわらず、当該チップの前記入力レジスタと前記出力レジスタとにのみ電力を供給することを特徴とする。
【００１４】
また、請求項４に記載の画像形成装置は、請求項１から３のいずれか一項に記載の画像形成装置において、前記電力供給手段から電力の供給を受けた前記処理手段が、前記入力レジスタからの情報に基づいて、所定の処理を行うことを特徴とする。
【００１５】
また、請求項５に記載の画像形成装置は、請求項１から４のいずれか一項に記載の画像形成装置において、前記検知手段と前記入力レジスタとを複数備えたことを特徴とする。
【発明の効果】
【００１６】
請求項１にかかる発明によれば、画像形成装置は、省電力モード時における検知手段からの通常モードへの移行指示に対して、システム制御手段の処理手段が稼動していなくても、システム制御部内の出力レジスタから電力供給手段へ電力供給の指示を直接行えるので、省電力モード時の低消費電力化という効果を奏する。
【００１７】
また、請求項２にかかる発明によれば、画像形成装置は、各入力レジスタと出力レジスタとを１チップ化することにより、省電力モード時には当該デバイス以外の電力供給が不要となるので、省電力モード時の一層の低消費電力化という効果を奏する。
【００１８】
また、請求項３にかかる発明によれば、画像形成装置は、各入力レジスタと出力レジスタとその他の機能部とを１チップ化し、省電力モード時には当該デバイスにおけるその他の機能部を停止させることにより、当該デバイスの各入力レジスタと出力レジスタの機能部分以外の電力供給が不要となるので、省電力モード時の低消費電力化という効果を奏する。
【００１９】
また、請求項４にかかる発明によれば、画像形成装置は、電力供給手段から電力の供給を受け復帰した処理手段が、各入力レジスタ内に保持された情報を確認することにより、通常モードへの復帰要因を判断して復旧動作を行うことができるので、正確な復旧作業が行えるという効果を奏する。
【００２０】
また、請求項５にかかる発明によれば、画像形成装置は、複数の入力手段によって、省電力モードから通常動作モードへ移行することができるので、省電力モードから通常動作モードへの移行を多様化できるという効果を奏する。
【発明を実施するための最良の形態】
【００２１】
以下に添付図面を参照して、この発明にかかる画像形成装置の最良な実施の形態を詳細に説明する。以下の各実施の形態においては、画像形成装置の一例としてデジタル複写機の場合について説明する。
【００２２】
（第１の実施の形態）
最初に、デジタル複写機の基本構成を説明する。図１は、本発明の第１の実施の形態に係るデジタル複写機の構成を示すブロック図であり、図２は、デジタル複写機１のＡＤＦ部１２、エンジン制御部１３、電源１８、操作部１９、及び、システム制御部２０の詳細構成を示すブロック図である。このデジタル複写機１は、読み取り制御部１１、ＡＤＦ部１２、エンジン制御部１３、書き込み制御部１４、電子写真プロセス１５、定着制御部１６、定着ヒータ１７、電源１８、操作部１９、システム制御部２０、及び、外部Ｉ／Ｆ２２を備えて構成されている。
【００２３】
ここで、読み取り制御部１１は、原稿４を読み取り、その原稿４を画像データに変換する制御手段である。また、ＡＤＦ部１２は、複数の原稿４のコピーが必要な場合、これらの原稿４を読み取り制御部１１へ一枚ずつ自動的に供給する供給手段である。このＡＤＦ部１２は、原稿４がセットされたことを検知する検知手段である原稿セット検知部１２ａを備える。この原稿セット検知部１２ａは、特許請求の範囲における検知手段に対応する。また、エンジン制御部１３は、エンジンの制御を行なう制御手段であり、圧板開閉検知部１３ａと画像処理部（図示せず）とを備えて構成されている。この圧板開閉検知部１３ａは、原稿４を読み取りする部分の上に原稿４を押しつける圧板の開閉状態を検知する検知手段である。この圧板開閉検知部１３ａは、特許請求の範囲における検知手段に対応する。また、画像処理部は、制御部１１から受信した画像データに画像処理を行う処理手段である。
【００２４】
また、書き込み制御部１４は、エンジン制御部１３から受信した画像データに基づいて、レーザダイオード（図示せず）の点灯制御を行う制御手段であり、これにより、電子写真プロセス１５に静電潜像を形成する。また、電子写真プロセス１５は、電子写真法により給紙部（図示せず）より搬送されてきた転写紙にトナーを転写し画像を形成する形成手段である。また、定着制御部１６は、エンジン制御部１３と共に定着ヒータ１７を制御し、定着部（図示せず）の動作時には、常に定着部が所望の温度になるよう調節する制御手段である。定着ヒータ１７は、定着部を加熱する加熱手段であり、定着部は、トナーを転写紙に定着させコピー５を形成する定着手段である。
【００２５】
また、電源１８は、システム制御部２０からの指示により、所定の各部へ所定の電力を供給する電力供給手段である。この電源１８は、特許請求の範囲における電力供給手段に対応する。
【００２６】
また、操作部１９は、ユーザーとデジタル複写機１との間で情報を仲介する仲介手段であり、この操作部１９は、操作制御部１９ａ、入力部１９ｂ、表示部１９ｃ、及び、電源ＳＷ１９ｄを備えて構成されている。ここで、操作制御部１９ａは、入力部１９ｂ、表示部１９ｃ、及び、電源ＳＷ１９ｄを制御する制御手段であり、ＣＰＵ１９ａ１、ＲＯＭ１９ａ２、ＲＡＭ１９ａ３、及び、ＡＳＩＣ１９ａ４を有する。また、入力部１９ｂは、デジタル複写機１に対する指示を入力する入力手段である。また、表示部１９ｃは、デジタル複写機１の状態や、デジタル複写機１からのメッセージを表示する表示手段である。また、電源ＳＷ１９ｄは、デジタル複写機１における通常モードと省電力モードの切り替え指示を検知する検知手段である。この電源ＳＷ１９ｄは、特許請求の範囲における検知手段に対応する。
【００２７】
また、システム制御部２０は、デジタル複写機１のシステム全体を制御する制御手段であり、このシステム制御部２０は、ＣＰＵ２０ａ、ＲＯＭ２０ｂ、ＲＡＭ２０ｃ、電源ＳＷ入力レジスタ２０ｄ、原稿セット検知入力レジスタ２０ｅ、圧板開閉検知入力レジスタ２０ｆ、及び、電源制御出力レジスタ２０ｇを備えて構成されている。このシステム制御部２０は、特許請求の範囲におけるシステム制御手段に対応する。
【００２８】
ここで、ＣＰＵ２０ａは、所定の条件に応じて具体的な処理を行う処理手段である。例えば、ＣＰＵ２０ａは、デジタル複写機１が省電力モードから通常モードへ復帰した時に、上記各入力レジスタに保持された復帰要因を判別し、要因に応じた復旧処理を行う。このＣＰＵ２０ａは、特許請求の範囲における処理手段に対応する。また、ＲＯＭ２０ｂ及びＲＡＭ２０ｃは、所定のプログラム及びデータを記憶する記憶手段である。
【００２９】
また、電源ＳＷ入力レジスタ２０ｄは、電源ＳＷ１９ｄから受信したモード切り替え指示情報を保持する保持手段である。また、原稿セット検知入力レジスタ２０ｅは、原稿セット検知部１２ａから受信した原稿セット情報を保持する保持手段である。また、圧板開閉検知入力レジスタ２０ｆは、圧板開閉検知部１３ａから受信した圧板開閉情報を保持する保持手段である。ここで、電源ＳＷ入力レジスタ２０ｄ、原稿セット検知入力レジスタ２０ｅ、及び、圧板開閉検知入力レジスタ２０ｆは、特許請求の範囲における入力レジスタに対応する。また、電源制御出力レジスタ２０ｇは、上記各入力レジスタからの情報に基づいて、電源１８に対して、所定の各部への所定の電力供給を指示する指示手段である。この電源制御出力レジスタ２０ｇは、特許請求の範囲における出力レジスタに対応する。
【００３０】
ここで、システム制御部２０は、省電力モード下においても電力供給２７が行われる常時通電部２５とそれ以外の部分に分けることができる。本実施の形態において、常時通電部２５は、電源ＳＷ入力レジスタ２０ｄ、原稿セット検知入力レジスタ２０ｅ、圧板開閉検知入力レジスタ２０ｆ、及び、電源制御出力レジスタ２０ｇであり、それ以外の部分は、ＣＰＵ２０ａ、ＲＯＭ２０ｂ、及び、ＲＡＭ２０ｃである。
【００３１】
また、外部Ｉ／Ｆ２２は、システム制御部２０とプリンタ機能ブロック、ファックス機能ブロック、及び、スキャナー機能ブロック等の他の機能ブロックとの間の情報伝達を行う外部Ｉ／Ｆである。
【００３２】
次に、省電力モードから通常モードへ移行する場合のデジタル複写機１の動作について説明する。省電力モードでは、デジタル複写機１は、システム制御部２０の常時通電部２５以外は全て電力供給が停止した状態となっている。このため、従来のように、システム制御部全体が稼動している場合と比べて、省電力モード時における低消費電力化が可能となっている。
【００３３】
ここで、電源ＳＷ１９ｄは、常時通電部２５に属する電源ＳＷ入力レジスタ２０ｄと接続されており、省電力モードでも、電源ＳＷ入力レジスタ２０ｄは、電源ＳＷ１９ｄからの通常モードへの切り替え指示の情報受信が可能となっている。また、原稿セット検知部１２ａは、常時通電部２５に属する原稿セット検知入力レジスタ２０ｅと接続されており、省電力モードでも、原稿セット検知入力レジスタ２０ｅは、原稿セット検知部１２ａからの原稿セット情報の受信が可能となっている。また、圧板開閉検知部１３ａは、常時通電部２５に属する圧板開閉検知入力レジスタ２０ｆと接続されており、省電力モードでも、圧板開閉検知入力レジスタ２０ｆは、圧板開閉検知部１３ａからの圧板が開いた旨の情報受信が可能となっている。
【００３４】
ここで、ユーザーが電源ＳＷ１９ｄの操作により、省電力モードから通常モードへの復帰を指示した場合は、この情報は、電源ＳＷ１９ｄから電源ＳＷ入力レジスタ２０ｄへ送信され、電源ＳＷ入力レジスタ２０ｄは、この情報を保持する。さらに、この情報は、電源ＳＷ入力レジスタ２０ｄから電源制御出力レジスタ２０ｇへ直接送信される。電源制御出力レジスタ２０ｇは、この情報に基づいて、電力供給の開始を指示する旨の電源制御信号２６を電源１８へ送信する。そして、当該電源制御信号２６を受信した電源１８は、常時通電部２５を含めたシステム制御部２０、ＡＤＦ部１２、エンジン制御部１３、操作部１９、及び、その他のブロックへの電力供給２７を再開する。このため、ＣＰＵ２０ａを介さずに、電源制御出力レジスタ２０ｇから電源１８への直接の指示が可能となる。そして、電力供給２７を受けて復帰したＣＰＵ２０ａは、復帰要因に応じた処理を行う。
【００３５】
また、原稿セット検知部１２ａが原稿のセットを検知した場合は、この情報は、原稿セット検知部１２ａから原稿セット検知入力レジスタ２０ｅへ送信され、原稿セット検知入力レジスタ２０ｅは、この情報を保持する。さらに、この情報は、原稿セット検知入力レジスタ２０ｅから電源制御出力レジスタ２０ｇへ直接送信される。電源制御出力レジスタ２０ｇは、この情報に基づいて、電力供給の開始を指示する旨の電源制御信号２６を電源１８へ送信する。そして、当該電源制御信号２６を受信した電源１８は、常時通電部２５を含めたシステム制御部２０、ＡＤＦ部１２、エンジン制御部１３、操作部１９、及び、その他のブロックへの電力供給２７を再開する。このため、ＣＰＵ２０ａを介さずに、電源制御出力レジスタ２０ｇから電源１８への直接の指示が可能となる。そして、電力供給２７を受けて復帰したＣＰＵ２０ａは、復帰要因に応じた処理を行う。
【００３６】
また、圧板開閉検知部１３ａが圧板が開いたことを検知した場合は、この情報は、圧板開閉検知部１３ａから圧板開閉検知入力レジスタ２０ｆへ送信され、圧板開閉検知入力レジスタ２０ｆは、この情報を保持する。さらに、この情報は、圧板開閉検知入力レジスタ２０ｆから電源制御出力レジスタ２０ｇへ直接送信される。電源制御出力レジスタ２０ｇは、この情報に基づいて、電力供給の開始を指示する旨の電源制御信号２６を電源１８へ送信する。そして、当該電源制御信号２６を受信した電源１８は、常時通電部２５を含めたシステム制御部２０、ＡＤＦ部１２、エンジン制御部１３、操作部１９、及び、その他のブロックへの電力供給２７を再開する。このため、ＣＰＵ２０ａを介さずに、電源制御出力レジスタ２０ｇから電源１８への直接の指示が可能となる。そして、電力供給２７を受けて復帰したＣＰＵ２０ａは、復帰要因に応じた処理を行う。
【００３７】
次に、ＣＰＵ２０ａが復帰後に行う動作について詳しく説明する。図３は、ＣＰＵ２０ａが復帰後に行う動作フローを示した図面である。初めに、ＣＰＵ２０ａは、電源ＳＷ入力レジスタ２０ｄ、原稿セット検知入力レジスタ２０ｅ、及び、圧板開閉検知入力レジスタ２０ｆに保持されている情報を順番に確認する（ステップＳ１１）。ここで、ＣＰＵ２０ａが、復帰の要因は、電源ＳＷ１９ｄによる省電力モードから通常モードへの切り替え指示であると判断した場合（ステップＳ１１、Ａ）、ＣＰＵ２０ａは、この場合に応じた所定の復帰処理を行う（ステップＳ１２）。次のステップＳ１５で、ＣＰＵ２０ａは通常動作処理を行い、デジタル複写機１は通常モードへ移行する。
【００３８】
また、ＣＰＵ２０ａが、復帰の要因は、原稿セット検知部１２ａが原稿のセットを検知したためであると判断した場合（ステップＳ１１、Ｂ）、ＣＰＵ２０ａは、この場合に応じた所定の復帰処理を行う（ステップＳ１３）。次のステップＳ１５で、ＣＰＵ２０ａは通常動作処理を行い、デジタル複写機１は通常モードへ移行する。
【００３９】
また、ＣＰＵ２０ａが、復帰の要因は、圧板開閉検知部１３ａが圧板が開いたことを検知したためであると判断した場合（ステップＳ１１、Ｃ）、ＣＰＵ２０ａは、この場合に応じた所定の復帰処理を行う（ステップＳ１４）。次のステップＳ１５で、ＣＰＵ２０ａは通常動作処理を行い、デジタル複写機１は通常モードへ移行する。
【００４０】
このように、本発明の第１の実施の形態に係る画像形成装置によれば、省電力モード時における外部からの通常モードへの移行指示に対して、システム制御部内のＣＰＵが稼動していなくても、システム制御部内の電力制御出力レジスタから電源へ電力供給の指示を直接行えるので、省電力モード時の低消費電力化が可能となる。
【００４１】
また、本発明の第１の実施の形態に係る画像形成装置によれば、さらに、システム制御部内のＣＰＵが電力供給を受け復帰した後に、システム制御部内のＣＰＵが各入力レジスタ内に保持された情報を確認することにより通常モードへの復帰要因を判断することができるので、当該要因に応じた通常モードへの復旧動作を行うことが可能となる。
【００４２】
（第２の実施の形態）
以下に添付図面を参照して、第２の実施の形態に係るデジタル複写機を詳細に説明する。本発明の第２の実施の形態に係るデジタル複写機は、第１の実施の形態におけるシステム制御部内の常時通電部に属する機能を１チップ化することにより、省電力モード時の低消費電力化を目的とする。
【００４３】
最初に、デジタル複写機の基本構成を説明する。図４は、本発明の第２の実施の形態に係るデジタル複写機の構成を示すブロック図であり、図５は、デジタル複写機２のＡＤＦ部１２、エンジン制御部１３、電源３８、操作部１９、及び、システム制御部４０の詳細構成を示すブロック図である。特に説明なき構造及び処理については、上述した第１の実施の形態と同様であり、同一の構造及び処理を同一の符号を付して説明する。
【００４４】
このデジタル複写機２は、読み取り制御部１１、ＡＤＦ部１２、エンジン制御部１３、書き込み制御部１４、電子写真プロセス１５、定着制御部１６、定着ヒータ１７、電源３８、操作部１９、システム制御部４０、及び、外部Ｉ／Ｆ２２を備えて構成されている。
【００４５】
ここで、電源３８は、システム制御部４０からの指示により、所定の各部へ所定の電力を供給する電力供給手段である。この電源３８は、特許請求の範囲における電力供給手段に対応する。
【００４６】
また、システム制御部４０は、デジタル複写機２のシステム全体を制御する制御手段であり、このシステム制御部４０は、ＣＰＵ４０ａ、ＲＯＭ２０ｂ、ＲＡＭ２０ｃ、及び、デバイス４１を備えて構成されている。このシステム制御部４０は、特許請求の範囲におけるシステム制御手段に対応する。
【００４７】
ここで、ＣＰＵ４０ａは、所定の条件に応じて具体的な処理を行う処理手段である。例えば、ＣＰＵ４０ａは、デジタル複写機２が省電力モードから通常モードへ復帰した時に、デバイス４１に保持された復帰要因を判別し、要因に応じた復旧処理を行う。このＣＰＵ４０ａは、特許請求の範囲における処理手段に対応する。
【００４８】
また、デバイス４１は、上述した第１の実施の形態における常時通電部２５の機能を１チップ化したデバイスであり、電源ＳＷ入力レジスタ４１ｄ、原稿セット検知入力レジスタ４１ｅ、圧板開閉検知入力レジスタ４１ｆ、及び、電源制御出力レジスタ４１ｇを備えて構成されている。
【００４９】
ここで、電源ＳＷ入力レジスタ４１ｄは、電源ＳＷ１９ｄから受信したモード切り替え情報を保持する保持手段である。また、原稿セット検知入力レジスタ４１ｅは、原稿セット検知部１２ａから受信した原稿セット情報を保持する保持手段である。また、圧板開閉検知入力レジスタ４１ｆは、圧板開閉検知部１３ａから受信した圧板の開閉情報を保持する保持手段である。ここで、電源ＳＷ入力レジスタ４１ｄ、原稿セット検知入力レジスタ４１ｅ、及び、圧板開閉検知入力レジスタ４１ｆは、特許請求の範囲における入力レジスタに対応する。また、電源制御出力レジスタ４１ｇは、上記各入力レジスタからの情報に基づいて、電源３８に対して、所定の各部への所定の電力供給を指示する指示手段である。この電源制御出力レジスタ４１ｇは、特許請求の範囲における出力レジスタに対応する。
【００５０】
次に、省電力モードから通常モードへ移行する場合のデジタル複写機２の動作について説明する。省電力モードでは、デジタル複写機２は、システム制御部４０のデバイス４１以外は全て電力供給が停止した状態となっている。デバイス４１の消費電力は、当該機能を各々のデバイスで組み合わせて行う場合に比べて小さいので、省電力モード時における一層の低消費電力化が可能となっている。
【００５１】
ここで、電源ＳＷ１９ｄは、デバイス４１の電源ＳＷ入力レジスタ４１ｄと接続されており、省電力モードでも、電源ＳＷ入力レジスタ４１ｄは、電源ＳＷ１９ｄからの通常モードへの切り替え指示の情報受信が可能となっている。また、原稿セット検知部１２ａは、デバイス４１の原稿セット検知入力レジスタ４１ｅと接続されており、省電力モードでも、原稿セット検知入力レジスタ４１ｅは、原稿セット検知部１２ａからの原稿セット情報の受信が可能となっている。また、圧板開閉検知部１３ａは、デバイス４１の圧板開閉検知入力レジスタ４１ｆと接続されており、省電力モードでも、圧板開閉検知入力レジスタ４１ｆは、圧板開閉検知部１３ａからの圧板が開いた旨の情報受信が可能となっている。
【００５２】
ここで、ユーザーが電源ＳＷ１９ｄの操作により、省電力モードから通常モードへの復帰を指示した場合は、この情報は、電源ＳＷ１９ｄから電源ＳＷ入力レジスタ４１ｄへ送信され、電源ＳＷ入力レジスタ４１ｄは、この情報を保持する。さらに、この情報は、電源ＳＷ入力レジスタ４１ｄから電源制御出力レジスタ４１ｇへ直接送信される。電源制御出力レジスタ４１ｇは、この情報に基づいて、電力供給の開始を指示する旨の電源制御信号４６を電源３８へ送信する。そして、当該電源制御信号４６を受信した電源３８は、デバイス４１を含めたシステム制御部４０、ＡＤＦ部１２、エンジン制御部１３、操作部１９、及び、その他のブロックへの電力供給４７を再開する。このため、ＣＰＵ４０ａを介さずに、電源制御出力レジスタ４１ｇから電源３８への直接の指示が可能となる。そして、電力供給４７を受けて復帰したＣＰＵ４０ａは、復帰要因に応じた処理を行う。
【００５３】
また、原稿セット検知部１２ａが原稿のセットを検知した場合は、この情報は、原稿セット検知部１２ａから原稿セット検知入力レジスタ４１ｅへ送信され、原稿セット検知入力レジスタ４１ｅは、この情報を保持する。さらに、この情報は、原稿セット検知入力レジスタ４１ｅから電源制御出力レジスタ４１ｇへ直接送信される。電源制御出力レジスタ４１ｇは、この情報に基づいて、電力供給の開始を指示する旨の電源制御信号４６を電源３８へ送信する。そして、当該電源制御信号４６を受信した電源３８は、デバイス４１を含めたシステム制御部４０、ＡＤＦ部１２、エンジン制御部１３、操作部１９、及び、その他のブロックへの電力供給４７を再開する。このため、ＣＰＵ４０ａを介さずに、電源制御出力レジスタ４１ｇから電源３８への直接の指示が可能となる。そして、電力供給４７を受けて復帰したＣＰＵ４０ａは、復帰要因に応じた処理を行う。
【００５４】
また、圧板開閉検知部１３ａが圧板が開いたことを検知した場合は、この情報は、圧板開閉検知部１３ａから圧板開閉検知入力レジスタ４１ｆへ送信され、圧板開閉検知入力レジスタ４１ｆは、この情報を保持する。さらに、この情報は、圧板開閉検知入力レジスタ４１ｆから電源制御出力レジスタ４１ｇへ直接送信される。電源制御出力レジスタ４１ｇは、この情報に基づいて、電力供給の開始を指示する旨の電源制御信号４６を電源３８へ送信する。そして、当該電源制御信号４６を受信した電源３８は、デバイス４１を含めたシステム制御部４０、ＡＤＦ部１２、エンジン制御部１３、操作部１９、及び、その他のブロックへの電力供給４７を再開する。このため、ＣＰＵ４０ａを介さずに、電源制御出力レジスタ４１ｇから電源３８への直接の指示が可能となる。そして、電力供給４７を受けて復帰したＣＰＵ４０ａは、復帰要因に応じた処理を行う。
【００５５】
次に、ＣＰＵ４０ａが復帰後に行う動作について詳しく説明する。図６は、ＣＰＵ４０ａが復帰後に行う動作フローを示した図面である。初めに、ＣＰＵ４０ａは、電源ＳＷ入力レジスタ４１ｄ、原稿セット検知入力レジスタ４１ｅ、及び、圧板開閉検知入力レジスタ４１ｆに保持されている情報を順番に確認する（ステップＳ２１）。ここで、ＣＰＵ４０ａは、復帰の要因が、電源ＳＷ１９ｄによる切り替え指示か（ステップＳ２１、Ａ）、原稿セット検知部１２ａによる原稿セットの検知か（ステップＳ２１、Ｂ）、圧板開閉検知部１３ａによる圧板が開いたことの検知か（ステップＳ２１、Ｃ）判断し、その判断に応じて、次の各ステップへ進む。ここで、ステップＳ２２からステップＳ２５は、本発明の第１の実施の形態における図３のステップＳ１２からステップＳ１５までと同じである。
【００５６】
このように、本発明の第２の実施の形態に係る画像形成装置によれば、各入力レジスタと電力制御出力レジスタとを１チップ化することにより、省電力モード時には、当該デバイス以外の電力供給が不要となるので、省電力モード時における一層の低消費電力化が可能となる。
【００５７】
（第３の実施の形態）
以下に添付図面を参照して、第３の実施の形態に係るデジタル複写機を詳細に説明する。本発明の第３の実施の形態に係るデジタル複写機は、第１の実施の形態におけるシステム制御部の常時通電部の機能部分とその他の機能部分とを１チップ化し、省電力モード時にはその他の機能部分を停止させることにより、省電力モード時の低消費電力化を目的とする。
【００５８】
最初に、デジタル複写機の基本構成を説明する。図７は、本発明の第３の実施の形態に係るデジタル複写機の構成を示すブロック図であり、図８は、デジタル複写機３のＡＤＦ部１２、エンジン制御部１３、電源５８、操作部１９、及び、システム制御部６０の詳細構成を示すブロック図である。特に説明なき構造及び処理については、上述した第１の実施の形態と同様であり、同一の構造及び処理を同一の符号を付して説明する。
【００５９】
このデジタル複写機３は、読み取り制御部１１、ＡＤＦ部１２、エンジン制御部１３、書き込み制御部１４、電子写真プロセス１５、定着制御部１６、定着ヒータ１７、電源５８、操作部１９、システム制御部６０、及び、外部Ｉ／Ｆ２２を備えて構成されている。
【００６０】
ここで、電源５８は、システム制御部６０からの指示により、所定の各部へ所定の電力を供給する電力供給手段である。この電源５８は、特許請求の範囲における電力供給手段に対応する。
【００６１】
また、システム制御部６０は、デジタル複写機３のシステム全体を制御する制御手段であり、このシステム制御部６０は、ＣＰＵ６０ａ、ＲＯＭ２０ｂ、ＲＡＭ２０ｃ、及び、デバイス６１を備えて構成されている。このシステム制御部６０は、特許請求の範囲におけるシステム制御手段に対応する。
【００６２】
ここで、ＣＰＵ６０ａは、所定の条件に応じて具体的な処理を行う処理手段である。例えば、ＣＰＵ６０ａは、デジタル複写機３が省電力モードから通常モードへ復帰した時に、デバイス６１に保持された復帰要因を判別し、要因に応じた復旧処理を行う。このＣＰＵ８０ａは、特許請求の範囲における処理手段に対応する。
【００６３】
また、デバイス６１は、様々な機能を１チップ化したデバイスであり、電源ＳＷ入力レジスタ６１ｄ、原稿セット検知入力レジスタ６１ｅ、圧板開閉検知入力レジスタ６１ｆ、電源制御出力レジスタ６１ｇ、機能ブロックＡ６１ｈ、及び、機能ブロックＢ６１ｉを備えて構成されている。
【００６４】
ここで、電源ＳＷ入力レジスタ６１ｄは、電源ＳＷ１９ｄから受信したモード切り替え情報を保持する保持手段である。また、原稿セット検知入力レジスタ６１ｅは、原稿セット検知部１２ａから受信した原稿セット情報を保持する保持手段である。また、圧板開閉検知入力レジスタ６１ｆは、圧板開閉検知部１３ａから受信した圧板の開閉情報を保持する保持手段である。ここで、電源ＳＷ入力レジスタ６１ｄ、原稿セット検知入力レジスタ６１ｅ、及び、圧板開閉検知入力レジスタ６１ｆは、特許請求の範囲における入力レジスタに対応する。また、電源制御出力レジスタ６１ｇは、上記各入力レジスタからの情報に基づいて、電源５８に対して、所定の各部への所定の電力供給を指示する指示手段である。この電源制御出力レジスタ６１ｇは、特許請求の範囲における出力レジスタに対応する。また、機能ブロックＡ６１ｈ、及び、機能ブロックＢ６１ｉは、所定の機能を有した機能ブロックである。
【００６５】
ここで、デバイス６１は、省電力モード下においても電力供給が行われる常時通電部６５とそれ以外の部分に分けることができる。本実施の形態において、常時通電部６５は、電源ＳＷ入力レジスタ６１ｄ、原稿セット検知入力レジスタ６１ｅ、圧板開閉検知入力レジスタ６１ｆ、及び、電源制御出力レジスタ６１ｇであり、それ以外の部分は、機能ブロックＡ６１ｈ、及び、機能ブロックＢ６１ｉである。
【００６６】
次に、省電力モードから通常モードへ移行する場合のデジタル複写機３の動作について説明する。省電力モードでは、デジタル複写機３は、デバイス６１の常時通電部６５以外は全て電力供給が停止した状態となっている。このため、デバイス６１全体が稼動している場合と比べて、省電力モード時における低消費電力化が可能となっている。
【００６７】
ここで、電源ＳＷ１９ｄは、デバイス６１の常時通電部６５に属する電源ＳＷ入力レジスタ６１ｄと接続されており、省電力モードでも、電源ＳＷ入力レジスタ６１ｄは、電源ＳＷ１９ｄからの通常モードへの切り替え指示の情報受信が可能となっている。また、原稿セット検知部１２ａは、デバイス６１の常時通電部６５に属する原稿セット検知入力レジスタ６１ｅと接続されており、省電力モードでも、原稿セット検知入力レジスタ６１ｅは、原稿セット検知部１２ａからの原稿セット情報の受信が可能となっている。また、圧板開閉検知部１３ａは、デバイス６１の常時通電部６５に属する圧板開閉検知入力レジスタ６１ｆと接続されており、省電力モードでも、圧板開閉検知入力レジスタ６１ｆは、圧板開閉検知部１３ａからの圧板が開いた旨の情報受信が可能となっている。
【００６８】
ここで、ユーザーが電源ＳＷ１９ｄの操作により、省電力モードから通常モードへの復帰を指示した場合は、この情報は、電源ＳＷ１９ｄから電源ＳＷ入力レジスタ６１ｄへ送信され、電源ＳＷ入力レジスタ６１ｄは、この情報を保持する。さらに、この情報は、電源ＳＷ入力レジスタ６１ｄから電源制御出力レジスタ６１ｇへ直接送信される。電源制御出力レジスタ６１ｇは、この情報に基づいて、電力供給の開始を指示する旨の電源制御信号６６を電源５８へ送信する。そして、当該電源制御信号６６を受信した電源５８は、デバイス６１の常時通電部６５を含めたシステム制御部６０、ＡＤＦ部１２、エンジン制御部１３、操作部１９、及び、その他のブロックへの電力供給６７を再開する。このため、ＣＰＵ６０ａを介さずに、電源制御出力レジスタ６１ｇから電源５８への直接の指示が可能となる。そして、電力供給６７を受けて復帰したＣＰＵ６０ａは、復帰要因に応じた処理を行う。
【００６９】
また、原稿セット検知部１２ａが原稿のセットを検知した場合は、この情報は、原稿セット検知部１２ａから原稿セット検知入力レジスタ６１ｅへ送信され、原稿セット検知入力レジスタ６１ｅは、この情報を保持する。さらに、この情報は、原稿セット検知入力レジスタ６１ｅから電源制御出力レジスタ６１ｇへ直接送信される。電源制御出力レジスタ６１ｇは、この情報に基づいて、電力供給の開始を指示する旨の電源制御信号６６を電源５８へ送信する。そして、当該電源制御信号６６を受信した電源５８は、デバイス６１の常時通電部６５を含めたシステム制御部６０、ＡＤＦ部１２、エンジン制御部１３、操作部１９、及び、その他のブロックへの電力供給６７を再開する。このため、ＣＰＵ６０ａを介さずに、電源制御出力レジスタ６１ｇから電源５８への直接の指示が可能となる。そして、電力供給６７を受けて復帰したＣＰＵ６０ａは、復帰要因に応じた処理を行う。
【００７０】
また、圧板開閉検知部１３ａが圧板が開いたことを検知した場合は、この情報は、圧板開閉検知部１３ａから圧板開閉検知入力レジスタ６１ｆへ送信され、圧板開閉検知入力レジスタ６１ｆは、この情報を保持する。さらに、この情報は、圧板開閉検知入力レジスタ６１ｆから電源制御出力レジスタ６１ｇへ直接送信される。電源制御出力レジスタ６１ｇは、この情報に基づいて、電力供給の開始を指示する旨の電源制御信号６６を電源５８へ送信する。そして、当該電源制御信号６６を受信した電源５８は、デバイス６１の常時通電部６５を含めたシステム制御部６０、ＡＤＦ部１２、エンジン制御部１３、操作部１９、及び、その他のブロックへの電力供給６７を再開する。このため、ＣＰＵ６０ａを介さずに、電源制御出力レジスタ６１ｇから電源５８への直接の指示が可能となる。そして、電力供給６７を受けて復帰したＣＰＵ６０ａは、復帰要因に応じた処理を行う。
【００７１】
次に、ＣＰＵ７０ａが復帰後に行う動作について詳しく説明する。図９は、ＣＰＵ６０ａが復帰後に行う動作フローを示した図面である。初めに、ＣＰＵ６０ａは、電源ＳＷ入力レジスタ６１ｄ、原稿セット検知入力レジスタ６１ｅ、及び、圧板開閉検知入力レジスタ６１ｆに保持されている情報を順番に確認する（ステップＳ３１）。ここで、ＣＰＵ６０ａは、復帰の要因が、電源ＳＷ１９ｄによる切り替え指示か（ステップＳ３１、Ａ）、原稿セット検知部１２ａによる原稿セットの検知か（ステップＳ３１、Ｂ）、圧板開閉検知部１３ａによる圧板が開いたことの検知か（ステップＳ３１、Ｃ）判断し、その判断に応じて、次の各ステップへ進む。ここで、ステップＳ３２からステップＳ３５は、本発明の第１の実施の形態における図３のステップＳ１２からステップＳ１５までと同じである。
【００７２】
このように、本発明の第３の実施の形態に係る画像形成装置によれば、システム制御部の常時通電部とその他の機能部分とを１チップ化し、省電力モード時には、当該デバイスにおけるその他の機能部分を停止させることにより、当該デバイスの常時通電部の機能部分以外の電力供給が不要となるので、省電力モード時における低消費電力化を可能とする。
【産業上の利用可能性】
【００７３】
この発明は、省電力モードを有するあらゆる装置に適用でき、当該装置の低消費電力化に有用である。
【図面の簡単な説明】
【００７４】
【図１】本発明の第１の実施の形態に係るデジタル複写機の構成を示すブロック図である。
【図２】本発明の第１の実施の形態に係るデジタル複写機のシステム制御部等の詳細構成を示すブロック図である。
【図３】本発明の第１の実施の形態におけるＣＰＵが復帰後に行う動作フローを示した図である。
【図４】本発明の第２の実施の形態に係るデジタル複写機の構成を示すブロック図である。
【図５】本発明の第２の実施の形態に係るデジタル複写機のシステム制御部等の詳細構成を示すブロック図である。
【図６】本発明の第２の実施の形態におけるＣＰＵが復帰後に行う動作フローを示した図である。
【図７】本発明の第３の実施の形態に係るデジタル複写機の構成を示すブロック図である。
【図８】本発明の第３の実施の形態に係るデジタル複写機のシステム制御部等の詳細構成を示すブロック図である。
【図９】本発明の第３の実施の形態におけるＣＰＵが復帰後に行う動作フローを示した図である。
【図１０】従来の画像形成装置の一例であるデジタル複写機のシステム制御部等の構成を示すブロック図である。
【符号の説明】
【００７５】
１、２、３  デジタル複写機
４  原稿
５  コピー
１１  読み取り制御部
１２  ＡＤＦ部
１２ａ  原稿セット検知部
１３  エンジン制御部
１３ａ  圧板開閉検知部
１４  書き込み制御部
１５  電子写真プロセス
１６  定着制御部
１７  定着ヒータ
１８、３８、５８  電源
１９  操作部
１９ａ  操作制御部
１９ａ１  ＣＰＵ
１９ａ２  ＲＯＭ
１９ａ３  ＲＡＭ
１９ａ４  ＡＳＩＣ
１９ｂ  入力部
１９ｃ  表示部
１９ｄ  電源ＳＷ
２０、４０、６０  システム制御部
２０ａ、４０ａ、６０ａ  ＣＰＵ
２０ｂ  ＲＯＭ
２０ｃ  ＲＡＭ
２０ｄ、４１ｄ、６１ｄ  電源ＳＷ入力レジスタ
２０ｅ、４１ｅ、６１ｅ原稿セット検知入力レジスタ
２０ｆ、４１ｆ、６１ｆ  圧板開閉検知入力レジスタ
２０ｇ、４１ｇ、６１ｇ  電源制御出力レジスタ
２２  外部Ｉ／Ｆ
２５、６５  常時通電部
２６、４６、６６  電源制御信号
２７、４７、６７  電力供給
４１、６１  デバイス
６１ｈ  機能ブロックＡ
６１ｉ  機能ブロックＢ
７１  ＡＤＦ部
７１ａ  原稿セット検知部
７２  エンジン制御部
７２ａ  圧板開閉検知部
７３  電源
７４  操作部
７４ｂ  入力部
７４ｃ  表示部
７４ｄ  電源ＳＷ
７５  システム制御部
７５ａ  ＣＰＵ
７５ｄ  電源ＳＷ入力レジスタ
７５ｅ  原稿セット検知入力レジスタ
７５ｆ  圧板開閉検知入力レジスタ
７５ｇ  電源制御出力レジスタ
７６  電源制御信号
７７  電力供給
【図１】
2006259160.tif 000003
【図２】
2006259160.tif 000004
【図３】
2006259160.tif 000005
【図４】
2006259160.tif 000006
【図５】
2006259160.tif 000007
【図６】
2006259160.tif 000008
【図７】
2006259160.tif 000009
【図８】
2006259160.tif 000010
【図９】
2006259160.tif 000011
【図１０】
2006259160.tif 000012